(57)【要約】      （修正有）【課題】眼鏡レンズの穴あけ加工を極めて正確に且つ容易に実施可能な、従来の煩雑な状況を解決することが課題である。【解決手段】段違いに枠組みするフレームの最上段を横スライド面として、該スライド面に沿って移動する垂直方向に可動なドリルを有するドリル台を設け、ドリル台の下方に位置するフレームの中段部に加工台フロアを形成し、該加工台フロア上にレンズ標準台及びそれと同構造のレンズ加工台を間隔を置いて固定し、レンズ標準台及びレンズ加工台に設けるレンズ固定盤に標準レンズ及び被加工レンズを固定して、標準レンズに設けてある穴位置及び角度を容易に且つ正確に写し取って加工することのできる眼鏡レンズの穴あけ装置として課題を解決するものである。【選択図】図２
2005081540.tif 000002
【特許請求の範囲】
【請求項１】
長手方向に等間隔の長さ目盛りを刻む横スライド面に沿って且つ前記目盛りに直交する目盛りを刻む移動テーブル上で二次元的に移動する、垂直方向に上下動が許容されるドリルを有するドリル台を配置するフレ−ムの、該ドリル台の下方に位置する中段部の加工台フロアの一端側近傍にレンズ標準台を固定し、他端側に、前記レンズ標準台と同構造のレンズ加工台を固定して成る装置であり、前記レンズ標準台及びレンズ加工台にレンズ固定盤を形成し、該固定盤が下方より立設され垂直方向に移動する複数個の上下調節棒に拠り、被加工レンズの穴あけ位置及び角度を、前記レンズ標準台に固定する標準レンズに倣って、正確に写し取って加工することのできる倣型の縁無し眼鏡レンズの穴あけ装置。
【請求項２】
前記レンズ固定盤を、上面に吸引口を開口し吸引パイプを介して真空ポンプに繋がる吸着盤として形成して成る請求項１記載の縁無し眼鏡レンズの穴あけ装置。
【発明の詳細な説明】
【技術分野】
【０００１】  本発明は、容易に加工することの出来る、特にはプラスチック製眼鏡レンズの穴あけ装置に関するものである。
【背景技術】
【０００２】  従来の眼鏡レンズの穴あけ加工は、玉型加工済みのレンズとダミーレンズを重ね合わせる等してダミーレンズより穴あけ位置情報を得て、穴あけ位置にマークを付け、ダミーレンズの穴と位置或いは角等が同様に成るようにドリルで行われているのが普通である。しかし、この加工法の問題を解消するために、盤上に設けられているドリルが垂直に上下動し、穴あけ深さ止め調節付きの穴あけ機にボール先端穴が頭に凹状曲面の窪みを有するＴ字状のピンを取り外し可能に設けた保持台を、ドリル芯とピン芯を合わせドリル受けとして取り付け、ドリル先端が窪みに触れる程度に作動するようにドリル穴あけ深さを調節しながら加工する装置が提案されており、亦、ドリルが垂直方向に上下動する穴あけ機であり、ボール先端に穴とその横に規格化されたレンズコバ抑え材ダミーのコバ当て材芯と穴芯を結ぶ延長線上に基線とその基線に対象にレンズ保持ピンを設け、基線に垂直に交差するスケールを設け、ドリル芯と穴芯を合わせて取り付ける加工機も提案されている。【０００３】  しかし、上記従来の加工機に依る眼鏡レンズの穴を正確にあけることは難しく、また加工が煩雑になり、容易に穴あけ加工が出来ない現状にある。
【特許文献１】  特公昭６３−６５２１
【特許文献２】  特開平９−３１４４９８
【特許文献３】  特開平１０−１１１４８０
【発明の開示】
【発明が解決しようとする課題】
【０００４】  従来の眼鏡レンズの穴あけ加工における手間を軽減し容易に且つ正確に穴をあけ得る眼鏡レンズの穴あけ装置を提供することが課題である。
【課題を解決するための手段】
【０００５】  等間隔の長さ目盛りを縦横直角に刻み、該目盛り面に沿って二次元的に移動する、垂直方向に上下動するドリルを有するドリル台を配置するフレー厶の該ドリル台の下方に位置する中段部の一端側近傍にレンズ基準台を固定し、他端側に、前記レンズ基準台と同構造のレンズ加工台を固定して成る装置であり、前記レンズ標準台及び前記レンズ加工台にレンズ固定盤を形成し、該固定盤が複数個の上下調節棒に拠り、被加工レンズの穴あけ位置或いは角度等を前記レンズ標準台に固定する標準レンズに倣って正確に写し取ることの出来る縁なし眼鏡レンズの加工装置。
【発明の効果】
【０００６】  穴あけ工具であるドリルが上下に可動するように取り付けられているドリル台が目盛り面に沿って二次元的に移動することに依って、標準レンズの穴位置等を正確に写し取って被加工レンズの穴あけ加工を容易に且つ迅速に実施出来る、従来には無く目的を十分に達成している特有の効果を有するものである。
【発明を実施するための最良の形態】
【０００７】  標準レンズ穴の基準面からの位置或いは角度等を正確に再現して加工するもので、標準レンズ台に固定するレンズの状態を複数個の上下調節棒の出し入れ及びドリルの二次元的移動によって容易に実施が可能となる。
【実施例１】
【０００８】  図１は本発明の一実施例を示す上方より観た平面図であり、図２は同実施例における正面図であり、図３は同側面図である。
本実施例では、段違いに枠組みをする角型に構成されるフレーム１の最上段部長手方向の両側を横スライド面３として、この片側に左右移動の長さ目盛３１を刻み、横スライド面３に沿って移動するドリル台２１を設置し、フレーム１の中段部に加工台フロア２を設けて、この加工台フロア２の一端側近傍にレンズ基準台４を固定し他端側にレンズ加工台５を固定して装置の大枠を構成している。【０００９】  ドリル台２１には、モーター２２、伝達ベルト２３、ドリル支持アーム２４に設けるドリル軸２５及びドリルチャック２７にドリル２８を、ドリル２８がドリル加工調節ツマミ２６により調整可能且つ垂直方向で可動出来るように連設し、ドリル台２１を左右移動テーブル２９、前後移動テーブル３２上に配置している。左右移動テーブル２９の側面には前後移動目盛３４が刻まれており、前後移動テーブル３２の移動量を計測できるようになっている。また、左右調節ツマミ３０及び前後調節ツマミ３３に依り、ドリル台２１の前後左右位置が調整されるものである。【００１０】  図４は一実施例に置けるレンズ標準台の平面図であり、図５は同実施例のＡＡ断面図であり、図６は同ＢＢ断面図である。
レンズ基準台４及び同構造のレンズ加工台５には、引張バネ７により負勢され横センターライン９及び縦センターライン１０を施すレンズ吸着盤６を設け、レンズ吸着盤６に吸引口１１を開口し、吸引口１１に繋がる吸引パイプ１２を延長して切換バルブ２０と通して真空ポンプ１９に接続し、真空にすることによりレンズ吸着盤６上に標準レンズ及び被加工レンズを固定するものである。
レンズ標準台４には、四箇所に垂直方向に可動な上下目盛１４を施す上下調節棒１３を設け、この上下調節棒１３の各々が独立して、先端に上下調節ツマミ１８を有するウォームギアー軸１７にウォームギアー１６を設け、このウォームギアー１６に噛み合うアイドルギアー１５を介して接続し、上下調節ツマミ１８を動かすことで上下動することが出来るように成っている。【００１１】  図７、図８及び図９には、レンズ標準台４にレンズを設置する状態を平面、正面及び側面で示すが、レンズ吸着盤４上に標準レンズ３５を乗せて吸引して可動的に固定するものである。
標準レンズ３５に記す印点８を基点として穴位置、角度を上下調節ツマミ１８で定め、同構造のレンズ加工台５に固定する被加工レンズの配置を、上下調節ツマミの移動位置を同じくすることで定めることが出来るようになっているものである。【００１２】  ドリル台２１の左右移動ツマミ３０及び前後移動ツマミ３３により、前記標準レンズ３５の穴位置及び角度が定まったその位置にドリル２８の先端位置を合わせてドリル台２１の縦横位置を調整し確定した後に、ドリル台２１を横スライド面３に沿って移動させ、横スライド面３に施してある左右移動目盛３１に依って標準レンズ３５の位置と等しい位置に置き、レンズ加工台５に固定される被加工レンズの加工穴加工を行うものである。
【実施例２】
【００１３】  上記図示する実施例にあっては、レンズの固定を真空に依る吸着の場合を示したが、レンズの固定手段として、これに限るものでは無く、図は省略するが、例えば、コールピッチ等で簡便に固定することができ、要するに、剥離が容易な軟接着剤等の使用は自由に行うことができるものである。
また、長さ目盛りを施す位置なども図示の実施例のようにフレームの側面に施す以外に、フレームの上面に施すことも可能であり、その選択も設計上自由である。
更に、本実施例において、複数の上下調節棒として四箇所に設ける例を示したが、三箇所に設けて調節することももちろん可能であり、その設け方を限定するものではない。
【産業上の利用可能性】
【００１４】    眼鏡レンズの穴加工以外に、被加工物の穴加工を正確に行う精密加工分野では、ドリル材の選択により材料を問わず実施可能なものである。
【図面の簡単な説明】
【００１５】  図１は、一実施例を示す装置全体の平面図である。
図２は、同実施例における正面図である。
図３は、同側面図である。
図４は、レンズ標準台の一実施例を示す平面図である。
図５は、図４におけるＡＡ断面図である。
図６は、図４におけるＢＢ断面図である。
図７は、レンズの設置状態を示す平面図である。
図８は、図７における正面図である。
図９は、同側面図である。
【符号の説明】
【００１６】  １    フレ−ム
２    加工台フロア
３    横スライド面
４    レンズ標準台
５    レンズ加工台
６    レンズ吸着盤
７    引張バネ
８    印点
９    横センターライン
１０    縦センターライン
１１    吸引口
１２    吸引パイプ
１３    上下調節棒
１４    上下目盛
１８    上下調節ツマミ
１９    真空ポンプ
２１    ドリル台
２８    ドリル
２９    左右移動テーブル
３０    左右移動ツマミ
３１    左右移動目盛
３２    前後移動テーブル
３３    前後移動ツマミ
３４    前後移動目盛
３５    レンズ
【図１】
2005081540.tif 000003
【図２】
2005081540.tif 000004
【図３】
2005081540.tif 000005
【図４】
2005081540.tif 000006
【図５】
2005081540.tif 000007
【図６】
2005081540.tif 000008
【図７】
2005081540.tif 000009
【図８】
2005081540.tif 000010
【図９】
2005081540.tif 000011